(57)【要約】【課題】簡単な構造で、安価で施工性に優れ、雨風が内部にまで流入しにくい棟換気構造を提供する。【解決手段】略垂直に立設された支持部１とその下部の取付部２とからなる下部材Ｘと、冠状部１３を有する上部材Ｙとを、接続部材Ｚで連結し、隣接する接続部材Ｚ間に形成される空間部を換気路とした棟換気装置Ａ１の取付部２が屋根下地材２１上に取り付けられ、前記冠状部３の表面に棟木３０をビス２６により固定し、棟瓦２４の頂部よりビス２５により棟瓦２４と棟木３０が一体化され、棟瓦２４と棟木３０と棟換気装置Ａ１とが屋根下地材２１上に取り付けられる。【選択図】        図２６
2004197314.tif 000002
【特許請求の範囲】
【請求項１】
略垂直に立設された支持部とその下部に設けた取付部とからなる下部材Ｘと、冠状部を有する上部材Ｙとを、適宜間隔を置いて接続部材Ｚで連結してなり、隣接する接続部材Ｚと接続部材Ｚとの間に形成される空間部を換気路としたことを特徴とする棟換気装置。
【請求項２】
換気路の外側に、排水口を有する遮蔽部を立設した請求項１記載の棟換気装置。
【請求項３】
遮蔽部が下部に排水口を有する板状体からなり、取付部に設けてなる請求項１又は２記載の棟換気装置。
【請求項４】
遮蔽部が、斜降部と該斜降部の端部より立設された垂直部とからなり、該斜降部と該垂直部との角部付近に排水口を有する略Ｌ字状体からなり、換気路の下部の下部材Ｘの支持部に設けてなる請求項１又は２記載の棟換気装置。
【請求項５】
冠状部の両側に斜降した突縁部を延設した請求項１〜４のいずれか１項に記載の棟換気装置。
【請求項６】
斜降した突縁部の端部から、換気口を覆うように壁部を垂設した請求項５記載の棟換気装置。
【請求項７】
壁部内側に制御壁を設けた請求項６記載の棟換気装置。
【請求項８】
接続部材Ｚの下方に凹部を設け、該凹部に下部材Ｘの支持部を嵌合してなる請求項１〜７のいずれか１項に記載の棟換気装置。
【請求項９】
下部材Ｘの支持部に凹凸面を設けた請求項１〜８のいずれか１項に記載の棟換気装置。
【請求項１０】
アルミ又は樹脂を押出成形したものである請求項１〜９のいずれか１項に記載の棟換気装置。
【請求項１１】
Ｙ部材に棟木固定部を設けた請求項１〜１０のいずれか１項に記載の棟換気装置。
【請求項１２】
請求項１〜１０のいずれか１項に記載の棟換気装置の下部材Ｘの取付部が屋根下地材上に取り付けられ、Ｙ部材の冠状部の上面に棟木が固定されていることを特徴とする棟換気構造。
【請求項１３】
請求項１１の棟換気装置の下部材Ｘの取付部が屋根下地材上に取り付けられ、Ｙ部材の棟木固定部に棟木が固定されていることを特徴とする棟換気構造。
【請求項１４】
請求項１〜１０のいずれか１項に記載の棟換気装置の下部材Ｘの取付部が屋根下地材上に取り付けられ、前記棟換気装置の長手方向に、適宜間隔を置いて屋根下地材上に取り付けられた棟木支持具に棟木を支持せしめたことを特徴とする棟換気構造。
【発明の詳細な説明】
【０００１】
【発明の属する技術分野】
本発明は、棟換気装置及び棟換気構造に関し、更に詳しくは、主として棟瓦と地瓦との隙間から換気する棟換気装置及び棟換気構造に関する。
【０００２】
【従来の技術】
従来より、棟瓦と地瓦との隙間から換気する棟換気装置としては種々のものが提案されているが、特に屋根の棟部に設けられた換気装置の代表例として特許文献１に記載されたものが知られている。
【０００３】
該文献によれば、図３０に示したように、垂木や野地板などからなり両流れ屋根面を形成する屋根地４１の頂部には間隙が設けられ、この間隙は、屋根裏に滞留する熱気や臭気か゛自然上昇力によって上昇し最初に集合して通過する屋根換気通路４２となる。そして屋根換気通路４２を跨ぐように立設させた第１換気口４３を有する補助部材４４が設けられ、さらに、この補助部材４４の外側には隙間を設けて立設するとともに、ここに第２換気口４５を穿設しかつ、中央に棟木４６を支持する棟木支持部材４７が設けられ、これら補助部材４４及び棟木支持部材４７は屋根地４１に釘等（図示せず）によって固定される。
【０００４】
一方、屋根地４１の頂部付近には桟木４８を固定したあと、この桟木４８に沿って桟瓦４９が掛止される。更に、この桟瓦４９の上には密封部材５０を介して第３換気口５１、第４換気口５２を有する通路形成部材５３が釘等によって棟木４６に固定される。そしてこの通路形成部材５３の上に棟瓦５４が載置され、長寸釘、ビス等の固定具５５によって棟木４６に固定され、更に、この棟瓦５４の裏面と通路形成部材５３との間に換気通路５６が形成される。
【０００５】
この構成によって、屋根地の頂部に向かって下から上昇してくる空気は矢印Ｋで示したように屋根換気通路４２を通過した後、第１、第２換気口４３、４５をジグザグに通過し、さらに換気通路５６の第３、第４換気口５１、５２を通過して外に排出される（気流の流れを実線矢印で示す）。
【０００６】
【特許文献１】
特許第２９０１１８０号公報
【０００７】
【発明が解決しようとする課題】
しかしながら、上記従来の換気装置では天気が穏やかで風雨が強くないようなときには、屋根地の頂部に向かい換気通路を通る上昇気流は順調に生起し、その換気機能は十分に発揮されるものの、台風時のように風雨が激しいときには、屋根面に沿って斜め下方から吹き上がってきた風雨Ｗが、桟瓦４９と棟瓦５４の瓦先端部５７とで形成される間隙から内側に流入する場合がある。すなわち、強烈な風雨がこの間隙を通過する際、この狭い間隙で一気に加速されるので、雨粒や雨飛沫となって第４、第３の換気口５２、５１、さらに第２、第１換気口４５、４３へと侵入し、ついには屋根換気通路４２へと逆流してくる場合がある（逆流の流れを破線矢印で示す）。
【０００８】
また、上記のように部品数が多く複雑な棟換気用部材を配設して形成される換気装置、構造回りあるいはその周辺に不測の間隙を生じることがある。該間隙は施工中に作用する外力に起因するもの、あるいは経年変化に起因するもの等があるが、このような状態のとき、とりわけ第２換気口４５と第３換気口５１との間に形成される空間などに、逆流時のときの飛沫や湿気成分が付着したり、滞留したり、また上述の間隙に毛細管現象により雨水の侵入を許容し雨漏りを生じたりする場合がある。その結果、天井にしみが発生したり、屋根地４１の棟部付近が腐食するという課題があった。
【０００９】
また、補助部材４４には第１換気口４３が、棟木支持部材４７には第２換気口４５が、更に通路形成部材５３には第３換気口５１、第４換気口５２がそれぞれ設けられているが、薄手の鋼板やステンレス鋼板、アルミ押出成形品やプラスチック押出成形品にプレスやドリルにより開孔加工を施して換気口を設けた後に組立加工を施しており、加工に手間が掛り、コスト高とならざるを得ない。更に、加工をし易くするために薄手の材料を採用しがちであり、強度や耐久性の面で劣る傾向にある。更にまた、打抜素材のロスも大きく、これの処理の手間、コストも看過できない問題となっている。
【００１０】
本発明は上記実情に鑑み、上記問題を解消し、簡単な構造で、台風時のように風雨が激しい場合でも、内部にまでは雨風が流入しにくい、安価で施工性に優れた棟換気装置及び該装置を用いた棟換気構造を提供することを目的とする。
【００１１】
【課題を解決するための手段】
上記目的を達成するために、本発明の第１に係る請求項１は、略垂直に立設された支持部とその下部に設けた取付部とからなる下部材Ｘと、冠状部を有する上部材Ｙとを、適宜間隔を置いて接続部材Ｚで連結してなり、隣接する接続部材Ｚと接続部材Ｚとの間に形成される空間部を換気路としたことを特徴とする棟換気装置を内容とする。
【００１２】
本発明の請求項２は、換気路の外側に、排水口を有する遮蔽部を立設した請求項１記載の棟換気装置である。
【００１３】
本発明の請求項３は、遮蔽部が下部に排水口を有する板状体からなり、取付部に設けてなる請求項１又は２記載の棟換気装置である。
【００１４】
本発明の請求項４は、遮蔽部が、斜降部と該斜降部の端部より立設された垂直部とからなり、該斜降部と該垂直部との角部付近に排水口を有する略Ｌ字状体からなり、換気路の下部の下部材Ｘの支持部に設けてなる請求項１又は２記載の棟換気装置である。
【００１５】
本発明の請求項５は、冠状部の両側に斜降した突縁部を延設した請求項１〜４のいずれか１項に記載の棟換気装置である。
【００１６】
本発明の請求項６は、斜降した突縁部の端部から、換気口を覆うように壁部を垂設した請求項５記載の棟換気装置である。
【００１７】
本発明の請求項７は、壁部内側に制御壁を設けた請求項６記載の棟換気装置である。
【００１８】
本発明の請求項８は、接続部材Ｚの下方に凹部を設け、該凹部に下部材Ｘの支持部を嵌合してなる請求項１〜７のいずれか１項に記載の棟換気装置である。
【００１９】
本発明の請求項９は、下部材Ｘの支持部に凹凸面を設けた請求項１〜８のいずれか１項に記載の棟換気装置である。
【００２０】
本発明の請求項１０は、アルミ又は樹脂を押出成形したものである請求項１〜９のいずれか１項に記載の棟換気装置である。
【００２１】
本発明の請求項１１は、Ｙ部材に棟木固定部を設けた請求項１〜１０のいずれか１項に記載の棟換気装置である。
【００２２】
本発明の第２に係る請求項１２は、請求項１〜１０のいずれか１項に記載の棟換気装置の下部材Ｘの取付部が屋根下地材上に取り付けられ、Ｙ部材の冠状部の上面に棟木が固定されていることを特徴とする棟換気構造を内容とする。
【００２３】
本発明の第３に係る請求項１３は、請求項１１の棟換気装置の下部材Ｘの取付部が屋根下地材上に取り付けられ、Ｙ部材の棟木固定部に棟木が固定されていることを特徴とする棟換気構造を内容とする。
【００２４】
本発明の第４に係る請求項１４は、請求項１〜１０のいずれか１項に記載の棟換気装置の下部材Ｘの取付部が屋根下地材上に取り付けられ、前記棟換気装置の長手方向に、適宜間隔を置いて屋根下地材上に取り付けられた棟木支持具に棟木を支持せしめたことを特徴とする棟換気構造を内容とする。
【００２５】
【作用】
本発明の第１に係る棟換気装置は、隣接する接続部材Ｚと接続部材Ｚとの間に形成される空間部を換気路とするため、部材に換気口を形成する必要がなく、下部材Ｘ、上部材Ｙ、接続部材Ｚをそれぞれ押出成形で製造することができるので、大幅な省力化及びコストダウンが図られる。また、下部材Ｘ及び上部材Ｙを接続部材Ｚにより嵌合してなるので、強度も充分である。また、遮蔽部を設けることにより、風雨（主として雨）の流入が一層効果的に阻止される。更に、Ｙ部材に棟木固定部を設けることにより棟木の固定が容易となり、コンパクトな棟換気構造が可能となる。
【００２６】
また、本発明の第２、第３に係る棟換気構造は、上記棟換気装置のＹ部材の冠状部の上面に、又はＹ部材に設けられた棟木固定部に、それぞれ棟木が固定され、構造が簡略化された安価な棟換気構造が提供される。
【００２７】
更に、本発明の第４に係る棟換気構造は、棟木装置の長手方向に適宜間隔を置いて屋根下地材上に取り付けられた棟木支持具に棟木を支持せしめてなり、構造が簡略化された安価な棟換気構造が提供される。
【００２８】
【発明の実施の形態】
以下、まず本発明の棟換気装置及び該装置を用いた棟換気構造の実施例を図面に基づいて説明するが、本発明はこれらにより何ら限定されるものではない。
【００２９】
実施例１
実施例１の棟換気装置は、図１、図２に示すように、略垂直に立設された支持部１とその下部に、該棟換気装置を屋根下地材（野地板）に取り付けるために該屋根下地材の勾配に沿うようにハの字状に設けた取付部２とからなる下部材Ｘと、冠状部３を備えた上部材Ｙとを、適宜間隔を置いて向かい合う係合壁４の略中間部を接続部５で接合したＨ形状の接続部材Ｚで連結してなり、矢示したように、隣接する接続部材Ｚと接続部材Ｚとの間に形成される空間部を利用して換気路Ｐが形成される。接続部材Ｚを配設する間隔は特に制限されないが、例えば、１０〜５０cm程度から選ぶことができる。
この様に、下部材Ｘ、上部材Ｙ、接続部材Ｚからなる棟換気装置Ａ２は、部材に換気口を加工して形成する必要がなく、したがって、下部材Ｘ、上部材Ｙ、接続部材Ｚを押出成形で製造することができるので、大幅なコストダウンが図られる。また、下部材Ｘ及び上部材Ｙを接続部材Ｚにより嵌合してなるので、強度も充分である。
尚、下部材Ｘ、上部材Ｙ、接続部材Ｚは、通常、ビス、溶接、溶着、接着剤等により接合されるが、煩雑さを避けるため、原則として図示しない。以下においても同じである。
【００３０】
実施例２
実施例２の棟換気装置は、図３に示すように、上部材Ｙの冠状部３の両側に、斜降した突縁部６を延設した他は、実施例１に示した棟換気装置と同じである。このように、冠状部３の両側に斜降した突縁部６を延設することにより、雨や風の侵入を効果的に防ぐことができる。
【００３１】
実施例３
実施例３の棟換気装置は、図４に示すように、下部材Ｘは略垂直に立設された支持部１の外側中位部にＨ形状の接続部材Ｚの受け部７が設けられるとともに、該受け部７より上部の外側に凹凸面８が設けられている。また、上部材Ｙは頂部内側に係合部９が設けられるとともに、斜降した突縁部６の端部から、隣接する接続部材Ｚと接続部材Ｚとの間に形成される空間部からなる換気路Ｐ１を覆うように壁部１０が垂設され、更に該壁部１０の下端に内側に曲折した小壁１１が延設されている。更に、接続部材Ｚは、上端には上部材Ｙの係合部９と係合する係合部１２が設けられるとともに、下方に係合壁１３、１３ａにより形成される凹部１４が設けられている。そして、接続部材Ｚの係合部１２は上部材Ｙの係合部９と係合され、また、接続部材Ｚの下方の凹部１４に下部材Ｘの凹凸面８を有する上部が圧入された構成からなる。
かかる構成の棟換気装置は、接続部材Ｚと上部材Ｙとは、係合部１２と係合部９とが係合することにより、一方、接続部材Ｚと下部材Ｘとは、凹凸面８を有する上部が凹部１４に圧入することにより、それぞれ物理的に一体化されている。かかる構成の棟換気装置は、矢示したようなジグザグ状に換気路Ｐ、Ｐ１が形成され、外部からの雨や風の侵入を一層効果的に防ぐことができる。なお、本例において、接続部材Ｚの受け部７は省略してもよく、また、凹凸面８は内側に設けても効果はかわらない。
【００３２】
実施例４
実施例４の棟換気装置は、図５に示すように、接続部材Ｚの凹部１４を形成する内側の両係合壁１３ａを伸長し、その下端部で山型状の接続部１５を介して接続し、略中間部の接続部１６とで略矩形状の構造体とするとともに、上部材Ｙの壁部１０に制御壁１７を設けた他は実施例３の棟換気構造と同じである。
上記の如く、接続部材Ｚの下部材Ｘとの係合部分を略矩形状の構造体とすることにより強度が大巾に向上し、また、制御壁１７を設けることにより、矢示したように実施例３の場合に比べて一層ジグザグ状の換気路Ｐが形成され、外部からの雨や風の侵入を尚一層効果的に防ぐことができる。
【００３３】
実施例５〜８
実施例５〜８の棟換気装置は、図６〜９に示すように、実施例１〜４の棟換気装置において、下部材Ｘの取付部２に、下部に排水口１８を有する板状体からなる遮蔽部１９が立設されている他は、実施例１〜４と同じである。
【００３４】
遮蔽部１９は、換気路Ｐからの通気を塞ぐことなく、且つ外部から風雨（主として雨）が該換気路Ｐを通じて室内へ侵入すことを阻止するためのもので、実質的に垂直に設けられるが、少々左右に傾斜していても差し支えない。風雨は一般に斜下方からの吹き付けるので必ずしも換気路Ｐの上方部にまで設ける必要はなく、遮蔽部１９の高さは適宜決定すればよい。
棟瓦と地瓦との隙間から侵入してくる風雨は遮蔽部１９により堰止められ、仮に雨が一部遮蔽部１９の内側に侵入したとしても、排水口１８により外部に排出される。
【００３５】
実施例９
実施例９の棟換気装置は、図１０に示すように、板状体からなる遮蔽部１９に代えて、斜降部１９ａと該斜降部１９ａの端部より立設された垂直部１９ｂとからなり、該斜降部１９ａと該垂直部１９ｂとの角部付近に（図１０では垂直部１９ｂの下部）排水口１８を有する略Ｌ字体からなる遮蔽部１９を設けた他は実施例５と同じである。尚、垂直部１９ｂは実質的に垂直であればよく、少々左右に傾斜していても差し支えない。
【００３６】
実施例１０
実施例１０の棟換気装置は、図１１に示すように、板状体からなる遮蔽部１９に代えて、斜降部１９ａと該斜降部１９ａの端部より立設された垂直部１９ｂとからなり、該斜降部１９ａと該垂直部１９ｂとの角部付近に（図１１では斜降部１９ａの先端部）排水口１８を有する略Ｌ字体からなる遮蔽部１９を、換気口２の下部材Ｘの側壁に設けた他は実施例６と同じである。
【００３７】
実施例１１
実施例１１の棟換気装置は、図１２に示すように、板状体からなる遮蔽部１９に代えて、斜降部１９ａと該斜降部１９ａの端部より立設された垂直部１９ｂとからなり、該斜降部１９ａと該垂直部１９ｂとの角部付近に（図１２では斜降部１９ａと垂直部１９ｂとの角部）排水口１８を有する略Ｌ字体からなる遮蔽部１９を、換気口２の下部材Ｘの側壁に設けた他は実施例７と同じである。
【００３８】
実施例１２
実施例１２の棟換気装置は、図１３に示すように、板状体からなる遮蔽部１９に代えて、斜降部１９ａと該斜降部１９ａの端部より立設された垂直部１９ｂとからなり、該斜降部１９ａと該垂直部１９ｂとの角部付近に（図１３では垂直部１９ｂの下部）排水口１８を有する略Ｌ字体からなる遮蔽部１９を、換気口２の下部材Ｘの側壁に設けた他は実施例８と同じである。
【００３９】
実施例１３
実施例１３の棟換気装置は、図１４に示すように、実施例１（図１）の棟換気装置において、Ｙ部材の冠状部３の表面に、底面部２０ａとその両端より立設された側壁部２０ｂとからなる棟木固定部２０が設けられている。
【００４０】
実施例１４
実施例１４の棟換気装置は、図１５に示すように、実施例２（図３）の棟換気装置において、Ｙ部材の冠状部３の表面に、底面部２０ａとその両端より立設された側壁部２０ｂとからなる棟木固定部２０が設けられている。
【００４１】
実施例１５
実施例１５の棟換気装置は、図１６に示すように、実施例３（図４）の棟換気装置において、Ｙ部材の冠状部３の表面に、底面部２０ａとその両端より立設された側壁部２０ｂ及び底面部２０ａの裏面に、Ｙ部材の突縁部６に沿うように延設されたハの字状の舌片部２０ｃとからなる棟木固定部２０が設けられている。
【００４２】
実施例１６
実施例１６の棟換気装置は、図１７に示すように、実施例４（図５）の棟換気装置において、Ｙ部材の冠状部３の表面に、側壁部２０ｂとその下部より、前記突縁部６に沿うように延設された舌片部２０ｃとからなる棟木固定部２０が設けられている。
【００４３】
実施例１７
実施例１７の棟換気装置は、図１８に示すように、実施例５（図６）の棟換気装置において、Ｙ部材の冠状部３の表面に、底面部２０ａとその両端より立設された側壁部２０ｂとからなる棟木固定部２０が設けられている。
【００４４】
実施例１８
実施例１８の棟換気装置は、図１９に示すように、実施例６（図７）の棟換気装置において、Ｙ部材の冠状部３の表面に、底面部２０ａとその両端より立設された側壁部２０ｂとからなる棟木固定部２０が設けられている。
【００４５】
実施例１９
実施例１９の棟換気装置は、図２０に示すように、実施例７（図８）の棟換気装置において、Ｙ部材の冠状部３の表面に、底面部２０ａとその両端より立設された側壁部２０ｂ及び底面部２０ａの裏面に、Ｙ部材の突縁部６に沿うように延設されたハの字状の舌片部２０ｃとからなる棟木固定部２０が設けられている。
【００４６】
実施例２０
実施例２０の棟換気装置は、図２１に示すように、実施例８（図９）の棟換気装置において、Ｙ部材の冠状部３の表面に、側壁部２０ｂとその下部より、前記突縁部６に沿うように延設された舌片部２０ｃとからなる棟木固定部２０が設けられている。
【００４７】
実施例２１
実施例２１の棟換気装置は、図２２に示すように、実施例９（図１０）の棟換気装置において、Ｙ部材の冠状部３の表面に、底面部２０ａとその両端より立設された側壁部２０ｂとからなる棟木固定部２０が設けられている。
【００４８】
実施例２２
実施例２２の棟換気装置は、図２３に示すように、実施例１０（図１１）の棟換気装置において、Ｙ部材の冠状部３の表面に、底面部２０ａとその両端より立設された側壁部２０ｂとからなる棟木固定部２０が設けられている。
【００４９】
実施例２３
実施例２３の棟換気装置は、図２４に示すように、実施例１１（図１２）の棟換気装置において、Ｙ部材の冠状部３の表面に、底面部２０ａとその両端より立設された側壁部２０ｂ及び底面部２０ａの裏面に、Ｙ部材の突縁部６に沿うように延設されたハの字状の舌片部２０ｃとからなる棟木固定部２０が設けられている。
【００５０】
実施例２４
実施例２４の棟換気装置は、図２５に示すように、実施例１２（図１３）の棟換気装置において、Ｙ部材の冠状部３の表面に、側壁部２０ｂとその下部より、前記突縁部６に沿うように延設された舌片部２０ｃとからなる棟木固定部２０が設けられている。
【００５１】
以上の実施例において、遮蔽部１９の排水口１８は遮蔽部１９の下部や、斜降部１９ａと垂直部１９ｂとの角部や、斜降部１９ａの先端部にキリ孔等を開けて設けられた例を示したが、棟換気装置の長さ方向の端部（一端部又は両端部）の下部材Ｘと遮蔽部との隙間を塞がずに開放したままとして、これを排水口とすることも可能である。
【００５２】
以上の如き本発明の棟換気装置は、棟瓦と地瓦との隙間から換気する方式の棟換気構造に好適に用いられる。
以下、実施例１２に示した棟換気装置Ａ１及び実施例２４に示した棟換気装置Ａ２を用い、その代表的な棟換気構造の実施例２５、２６について説明する。
【００５３】
実施例２５
図２６に示すように、本発明の棟換気装置Ａ１（実施例１２のもの）は、両流れ屋根面を形成する屋根下地材（野地板）２１の表面に防水シート２２を敷設し、左右対向する野地板２１間の換気用開口部２３を跨ぐように設けられ、取付部２の固定手段用孔２ａに固定手段（図ではビス）２６を挿入し、防水シート２２を介して屋根下地材２１に取り付けられる。地瓦２７は棟換気装置Ａ１の取付部２上に、棟瓦２４の端縁部２４ａとの間に換気路２８が形成されるように隙間を置いて葺設される。棟換気装置Ａ１と地瓦２７との間には、シール材２９が充填されている。
【００５４】
棟換気装置Ａ１のＹ部材の冠状部３の上部に棟木３０が固定手段（図ではビス）２６により固定され、棟瓦２４の頂部より固定手段（図ではビス）２５により、棟瓦２４、棟木３０、棟換気装置Ａ１が屋根下地材２１上に固定された棟換気構造が形成される。
尚、シール材２９は、図示したものに替え、遮蔽部１９の斜降部１９ａと地瓦２７との間に介挿してもよい。
【００５５】
上記棟換気構造において、屋内から上昇してきた空気は、換気用開口部２３から棟換気装置Ａ１の換気路Ｐ１より、同図右側に実線で矢示する如く、遮蔽部１９を乗り越え、棟瓦２４の端縁部２４ａと地瓦２７との間の換気路２８から外部に排出される。
尚、棟瓦２４の端縁部２４ａと地瓦２７との間の換気路２８に、通気性を有する部材（図示せず）を介在させ、鳥等の侵入・営巣を防ぐこともできる。
【００５６】
一方、外部から換気路２８より侵入した雨や風は、同図左側に波線で矢示するように、遮蔽部１９又は壁部１０に衝突し、内部への侵入を阻止される。万一、雨が遮蔽部１９の内側に侵入した場合は、遮蔽部１９の下部に設けた排水口１８より防水シート２２の上に排出される。
【００５７】
実施例２６
本実施例の棟換気構造は、図２７に示すように、実施例２５において、棟換気装置Ａ１を棟換気装置Ａ２（実施例２４のもの）に置き換えた他は実施例２５と同様である。
即ち、本例では棟木３０は、Ｙ部材の冠状部３の表面の棟木固定部２０に固定手段（図ではビス）２６により固定されている。
尚、シール材２９は、図示したものに替え、遮蔽部１９の斜降部１９ａと地瓦２７との間に介挿してもよいことは実施例２５の場合と同様である。
【００５８】
上記棟換気構造においては、屋内から上昇してきた空気は、同図右側に実線で矢示する如く、換気用開口部２３から棟換気装置Ａ２の換気路Ｐ１より壁部１０との間をジグザグ状に通過して換気路２８より外部に排出される。
一方、外部から換気路２８より侵入した雨や風は、同図左側に破線で矢示するように、遮蔽部１９又は壁部１０に衝突し、内部への侵入を阻止される。万一、雨が遮蔽部１９の内側に侵入した場合は、排水口１８より防水シート２２上に排出される。
【００５９】
実施例２７
実施例２５及び２６は、いずれも棟換気装置Ａ１又はＡ２に棟木を直接又は棟木固定具を介して固定した棟木換気構造を示したが、本実施例の棟換気構造は、棟換気装置に棟木を固定するのではなく、棟換気装置とは別の棟木支持具に棟木を支持せしめることにより棟換気構造が形成される例を示す。
【００６０】
即ち、図２８に示すように、棟換気装置Ａ２の長手方向（棟方向）の装置Ａ２と装置Ａ２との間に棟木支持具３１が屋根下地材２１上に取り付けられ、この棟木支持具３１に棟木３０を支持せしめる。
棟木支持具３１は、文字通り、棟木を支持するものであれば特に制限されないが、好ましい一例としては、図示するように、支柱壁３２の上部には、底面部３３ａとその両端より立設された側壁部３３ｂからなる棟木固定部３３を備え、支柱壁３２の下部には取付部３４が屋根下地材２１の傾斜面に沿うように設けられている。図では、棟木支持具３１の取付部３４は固定手段（図ではビス）３５により防水シート２２を介して屋根下地材２１に取り付けられ、また棟木３０は棟木固定部３３に固定手段（図ではビス）３６により固定されている。この場合の棟換気は実施例２６の場合と同様である。
【００６１】
図２９に、棟木支持具３１の他の例を示すが、２個の支柱壁３２の上部に平板状の棟木固定部３３を備え、支柱壁３２の下部には屋根下地材２１の傾斜面に沿うように取付部３４が延設されている。３７は固定手段（ビス）孔である。棟木３０は２点鎖線で示すように、棟木固定部３３の上面又は下面に固定される。
このタイプの棟木支持具３１は、棟換気装置と棟換気装置の間に配設する場合の他に、棟換気装置を跨ぐように配設することも可能である。
【００６２】
【発明の効果】
叙上のように、本発明の棟換気装置は、隣接する接続部材と接続部材との間に形成される空間部を換気路とするため、部材に換気口を形成する必要がなく、下部材Ｘ、上部材Ｙ、接続部材Ｚをそれぞれ押出成形で製造することができるので、大幅な省力化とコストダウンが図られる。また、下部材Ｘ及び上部材Ｙを接続部材Ｚにより嵌合してなるので、強度も充分である。また、遮蔽部を設けることにより風雨（主として雨）の流入が効果的に阻止される。更に、Ｙ部材に棟木固定部を設けることにより棟木の固定が容易となり、コンパクトな棟換気構造が可能となる。
【００６３】
また、上記棟換気装置を用いた棟換気構造は、棟換気装置のＹ部材の冠状部の上面に、又はＹ部材に設けられた棟木固定部に、それぞれ棟木が固定され、構造が簡略化された安価な棟換気構造が提供される。
【００６４】
更に、上記棟換気装置と棟木支持具を用いた棟換気構造は、棟木装置の長手方向に適宜間隔を置いて屋根下地材上に取り付けられた棟木支持具に棟木を支持せしめてなり、構造が簡略化された安価な棟換気構造が提供される。
【図面の簡単な説明】
【図１】棟換気装置の実施例を示す断面図である。
【図２】図１におけるＷ−Ｗ断面図である。
【図３】棟換気装置の他の実施例を示す断面図である。
【図４】棟換気装置の他の実施例を示す断面図である。
【図５】棟換気装置の他の実施例を示す断面図である。
【図６】棟換気装置の他の実施例を示す断面図である。
【図７】棟換気装置の他の実施例を示す断面図である。
【図８】棟換気装置の他の実施例を示す断面図である。
【図９】棟換気装置の更に他の実施例を示す断面図である。
【図１０】棟換気装置の更に他の実施例を示す断面図である。
【図１１】棟換気装置の更に他の実施例を示す断面図である。
【図１２】棟換気装置の更に他の実施例を示す断面図である。
【図１３】棟換気装置の更に他の実施例を示す断面図である。
【図１４】棟換気装置の更に他の実施例を示す断面図である。
【図１５】棟換気装置の更に他の実施例を示す断面図である。
【図１６】棟換気装置の更に他の実施例を示す断面図である。
【図１７】棟換気装置の更に他の実施例を示す断面図である。
【図１８】棟換気装置の更に他の実施例を示す断面図である。
【図１９】棟換気装置の更に他の実施例を示す断面図である。
【図２０】棟換気装置の更に他の実施例を示す断面図である。
【図２１】棟換気装置の更に他の実施例を示す断面図である。
【図２２】棟換気装置の更に他の実施例を示す断面図である。
【図２３】棟換気装置の更に他の実施例を示す断面図である。
【図２４】棟換気装置の更に他の実施例を示す断面図である。
【図２５】棟換気装置の更に他の実施例を示す断面図である。
【図２６】本発明の棟換気構造の実施例を示す断面図である。
【図２７】本発明の棟換気構造の他の実施例を示す断面図である。
【図２８】本発明の棟換気構造の他の実施例を示す断面図である。
【図２９】本発明に用いられる棟木支持具の他の実施例を示す断面図である。
【図３０】従来の棟換気構造の一例を示す断面図である。
【符号の説明】
１  支持部
２  取付部
２ａ  固定手段用孔
３  冠状部
４  係合壁
５  接続部
６  突縁部
７  受け部
８  凹凸面
９  係合部
１０  壁部
１１  小壁
１２  係合部
１３、１３ａ  係合壁
１４  凹部
１５  接続部
１６  接続部
１７  制御壁
１８  排水口
１９  遮蔽部
１９ａ  斜降部
１９ｂ  垂直部
２０  棟木固定部
２０ａ  底面部
２０ｂ  側壁部
２０ｃ  舌片部
２１  屋根下地材（野地板）
２２  防水シート
２３  換気用開口部
２４  棟瓦
２５  固定手段（ビス）
２６  固定手段（ビス）
２７  地瓦
２８  換気路
２９  シール材
３０  棟木
３１  棟木支持具
３２  支柱壁
３３  棟木固定部
３３ａ  底面部
３３ｂ  側壁部
３４  取付部
３５、３６  固定手段（ビス）
３７  固定手段（ビス）孔
Ｐ、Ｐ１  換気路
【図１】
2004197314.tif 000003
【図２】
2004197314.tif 000004
【図３】
2004197314.tif 000005
【図４】
2004197314.tif 000006
【図５】
2004197314.tif 000007
【図６】
2004197314.tif 000008
【図７】
2004197314.tif 000009
【図８】
2004197314.tif 000010
【図９】
2004197314.tif 000011
【図１０】
2004197314.tif 000012
【図１１】
2004197314.tif 000013
【図１２】
2004197314.tif 000014
【図１３】
2004197314.tif 000015
【図１４】
2004197314.tif 000016
【図１５】
2004197314.tif 000017
【図１６】
2004197314.tif 000018
【図１７】
2004197314.tif 000019
【図１８】
2004197314.tif 000020
【図１９】
2004197314.tif 000021
【図２０】
2004197314.tif 000022
【図２１】
2004197314.tif 000023
【図２２】
2004197314.tif 000024
【図２３】
2004197314.tif 000025
【図２４】
2004197314.tif 000026
【図２５】
2004197314.tif 000027
【図２６】
2004197314.tif 000028
【図２７】
2004197314.tif 000029
【図２８】
2004197314.tif 000030
【図２９】
2004197314.tif 000031
【図３０】
2004197314.tif 000032